(57)【特許請求の範囲】
【請求項１】
セメント、粗骨材および細骨材からなるコンクリートの混練時に、細骨材の表面水率の変動に対してミキサー駆動用のモータの負荷状態を示す電力の変動が明確になるモータの回転数を、周波数を変化させることによって得た後、モータの負荷状態を示す電力の変動にかかわらず回転数が上記回転数と同一になるようにモータの回転数をインバータを用いて制御し、この状態でミキサー駆動用のモータの負荷状態を示す電力と細骨材の表面水率及びミキサー駆動用のモータの負荷状態を示す電力とコンクリートのスランプまたはスランプフローの各関係より所定の品質のコンクリートが得られるように細骨材の表面水率を補正するコンクリート混練時の細骨材の表面水率の補正方法。
【発明の詳細な説明】
【０００１】
【発明の属する技術分野】
本発明は、主としてトンネル掘削時に、トンネルの地山と鋼製支保工との間に充填する吹付コンクリート等を混練するコンクリートプラントにおけるコンクリート混練時の細骨材の表面水率の補正方法に関する。
【０００２】
【従来の技術】
トンネル掘削時に一般に使用される、ＮＡＴＭ工法と称されるトンネル掘削工法においては、トンネルの地山に吹付コンクリートを吹付けている。
【０００３】
上記の吹付コンクリートは、トンネルの工事現場に設置されたプラントで混練されているが、吹付コンクリートを構成するセメント、粗骨材および細骨材に水を投入して混練する時に、細骨材の表面水率が変動すると、コンクリートの強度や流動性などのコンクリート性状が変動し、吹付作業に支障をきたす。なお、粗骨材は標準乾燥状態のものを使用するので、粗骨材の表面水率の変動は生じない。
【０００４】
そこで、従来は、細骨材入荷時に、細骨材ビンでクラムを用いて表面水率ができるだけ一定になるように細骨材を混ぜてホッパーに供給していたが、そのサイクルタイムが５時間程度となって乾燥するため、ベルトコンベヤ上、ホッパーの上部と下部とは細骨材の表面水率が異なることになり、コンクリートの性状が一定しない傾向であった。
【０００５】
このため、従来は経験的に、例えばトラックミキサー５ｍ3 分の全体として合うだろうと思われる箇所の細骨材を採取し、その表面水率を計測して、操作盤に計測値を打ち込み混練りしていたが、その際の表面水率の決定においては経験が必要であった。
【０００６】
また、ホッパーに新たに細骨材を付け足した場合には表面水率が相違するので、そのずらし分はコンクリート性状を確認して、その表面水率を決定するにはやはり経験に頼ることしかなかった。
【０００７】
そこで、前記のごとく細骨材の表面水率の変動により吹付に支障をきたすことを防止して表面水率の決定に経験的なものを不要とし、一定したコンクリート性状が確保できる吹付コンクリートプラントでの細骨材の表面水補正方法に関する特開平７−１７３９９８の発明が知られているが、この方法は、セメントと、粗骨材と、細骨材とからなる吹付コンクリートの混練り時に、事前に把握した細骨材の表面水率と、ミキサー電流値と、スランプとの相関関係から、検出されたミキサー電流値により細骨材の表面水率を次のバッチごと補正しながら混練りすることを特徴とし、図３の概略図に示すごとく、まず適切なコンクリート配合で表面水率がわかっている細骨材を使用して混練をする。
【０００８】
そこで、セメントと、細骨材と、細骨材と水とからなる吹付コンクリートの混練り用のミキサーのモータ２の負荷電流の電流値３が一定になる時間を求め、これを基準電流値および検出時間とする。
【０００９】
次に、表面水率補正装置への表面水率の入力値を変化させたときの電流値３とスランプをプロットして図４に示すΔＡ−ΔＷ曲線とΔＳ−ΔＷ曲線を求める。ここで、表面水率補正装置とは、水、セメント、砂利等の粗骨材、砂等の細骨材の配合が決められているときに、細骨材の表面水率を入力すると、この値に応じて水の量を調整して計量する装置である。
【００１０】
従って、例えば実際の表面水率Ｗ＝３．５％であったとき、表面水率補正装置の表面水率の入力値を４．５％とすると、計量される水が減り、電流値２は上昇し、スランプは減少する。これを図４では、ΔＷを＋１として、ΔＡとΔＳをプロットしている。
よって、ΔＡから求められるΔＷは、表面水率補正装置に入力する値を増加、または減少させる値である。
このようにして求めた図４のＸで示す曲線を使用して、所定のスランプを得るようにしていた。
【００１１】
しかしながら、近年高流動コンクリート等の高品質なコンクリートが使用されるようになり、材料物性の相違するものによっては、上記の手法では図４の特性曲線に破線Ｙで示すように電流値３の変化が急変または一定となって明確でなくなり、細骨材の表面水率の補正を明確に決められない状況が生じる場合があることが判明した。
【００１２】
【発明が解決しようとする課題】
本発明は、コンクリート混練時のミキサー駆動用モータの回転数をインバータ装置を用いて制御することにより、そのモータの負荷状態を示す電力の変動が細骨材の表面水率に対して明確になるモータの回転数を求め、負荷状態を示す電力の変動に対してモータが上記回転数と同一になるように周波数制御して、高品質のコンクリートに対しても適性に細骨材の表面水率を自動補正できるコンクリート混練時の細骨材の表面水率の補正方法を提供する。
【００１３】
【課題を解決するための手段】
本発明は、セメント、粗骨材および細骨材とからなるコンクリートの混練時に、細骨材の表面水率の変動に対してミキサー駆動用のモータの負荷状態を示す電力の変動が明確になるモータの回転数を、周波数を変化させることによって得た後、負荷状態を示す電力の変動にかかわらず回転数が上記回転数と同一になるようにモータの回転数をインバータを用いて制御し、この状態でミキサー駆動用のモータの負荷状態を示す電力と細骨材の表面水率及びミキサー駆動用のモータの負荷状態を示す電力とコンクリートのスランプまたはスランプフローの各関係より所定の品質のコンクリートが得られるように細骨材の表面水率を補正するコンクリート混練時の細骨材の表面水率の補正方法からなる。
【００１４】
【発明の実施の形態】
以下図１を参照して本発明の一実施形態を説明するが、まず、本発明の方法を用いて吹付コンクリートを混練するため、図１のミキサー１によりセメントと粗骨材と、細骨材とを混練するが、細骨材の表面水率の変動に対してミキサー１の駆動用のモータ２の負荷状態を示す電力の変動が明確になるモータ２の回転数を、回転数検出器４を見ながら、インバータを備えた自動回転数制御装置５の周波数を変化させることにより得る。
【００１５】
次に、表面水率が既知の細骨材を使用して、上記回転数と同一となるようインバータを備えた自動回転数制御装置５を用いて制御し、そのときのモータ２の負荷状態を示す電力とコンクリートのスランプまたはスランプフローを測定する。なお、自動回転数制御装置５は、実際の回転数を回転数検出器４で検出しながら、インバータにより所定回転数に制御する機能を備えている。
【００１６】
続いて、表面水率補正装置への表面水率の入力値を故意に種々変えて、同様にモータ２の負荷状態を示す電力とコンクリートのスランプまたはスランプフローを測定する。
【００１７】
このようにして測定した表面水率が既知のときの表面水率Ｗ、モータ２の負荷状態を示す電力ＦとコンクリートのスランプまたはスランプフローＳと、表面水率の入力値を故意に変えたときの表面水率の入力値Ｗ１モータ２の負荷状態を示す電力Ｆ１とコンクリートのスランプまたはスランプフローＳ１とのそれぞれの差、ΔＷ（Ｗ１−Ｗ）、ΔＦ（Ｆ１−Ｆ）、ΔＳ（Ｓ１−Ｓ）を求め、図２に示すΔＦ−ΔＷ曲線とΔＳ−ΔＷ曲線を描く。
【００１８】
図２から、ΔＦによって所定のスランプまたはスランプフローを得るために必要なΔＷを求め、これを表面水率装置に記憶する。
したがって、コンクリート混練時にミキサー２の負荷状態を示す電力を測定することによって、所定のスランプまたはスランプフローを得るための表面水率の補正を自動的に行なうことができる。
【００１９】
【発明の効果】
以上に説明した本発明のコンクリート混練時の細骨材の表面水率の補正方法によれば、ミキサーを駆動しているモータの負荷状態を示す電力の変動が細骨材の表面水率の変動に対して明確になるモータの回転数を求めること及び駆動するモータが上記回転数と同一になるようになるように周波数制御すること、さらにモータの負荷を単に電流値ではなく、負荷状態を示す電力で評価することが、前述の従来例の方法と大きく相違しており、その結果、近年多く使用されている高流動コンクリート等の高品質の吹付コンクリートの混練時においても一定した高品質のコンクリートを提供でき吹付コンクリートの品質向上をはかることができる。
【図面の簡単な説明】
【図１】本発明のコンクリート混練時の細骨材の表面水率の補正方法によるコンクリート混練装置の一実施形態における概略図である。
【図２】図１において把握されるコンクリート特性線図である。
【図３】従来の方法によるコンクリート混練装置の概略図である。
【図４】図３において把握されるコンクリート特性線図である。
【符号の説明】
１  ミキサー                ２  モータ
【図１】
0004321727.tif 000002
【図２】
0004321727.tif 000003
【図３】
0004321727.tif 000004
【図４】
0004321727.tif 000005